(57)【要約】【課題】  簡易で効率よくしかも低コストで実現できる高温湿り空気発生装置を提供する。【解決手段】  燃焼ガスを生成する加熱手段（バーナ２）と、該加熱手段２により加熱され水蒸気を発生する蒸発器５とからなり、該水蒸気及び前記燃焼ガスの混合体により各種処理を施す高温湿り空気発生装置において、前記蒸発器５は、上部が開口し底部が加熱される水溜り部７と該水溜り部の側面を覆う吸水体９とからなり、該蒸発器５の上部の開口部８は、開口面積が徐々に広がる断面形状を有するとともに、開口上端部の外縁から前記吸水体９に水を滴下するガイド縁１２を有する。【選択図】        図２
0003119089.tif 000002
【実用新案登録請求の範囲】
【請求項１】
燃焼ガスを生成する加熱手段と、該加熱手段により加熱され水蒸気を発生する蒸発器とからなり、該水蒸気及び前記燃焼ガスの混合体により各種処理を施す高温湿り空気発生装置において、
前記蒸発器は、上部が開口し底部が加熱される水溜り部と該水溜り部の側面を覆う吸水体とからなり、
該蒸発器の上部の開口部は、開口面積が徐々に広がる断面形状を有するとともに、開口上端部の外縁から前記吸水体に水を滴下するガイド縁を有することを特徴とする高温湿り空気発生装置。
【請求項２】
前記開口部は、断面形状がラッパ状に湾曲して開口し、その外縁が下方に湾曲して折り返されて前記ガイド縁を構成することを特徴とする請求項１に記載の高温湿り空気発生装置。
【請求項３】
前記蒸発器は、板金の曲げ加工品からなり、前記開口部が連続したスリット状に開口し、該蒸発器の両端部を止め板で塞いだことを特徴とする請求項１又は２に記載の高温湿り空気発生装置。
【考案の詳細な説明】
【技術分野】
【０００１】
本考案は、高温湿り空気を用いて殺菌や乾燥その他の各種処理を施す処理装置における高温湿り空気発生装置に関する。
【背景技術】
【０００２】
高温湿り空気特に過熱蒸気は殺菌効果があることが知られ（例えば特許文献１）、医療器具等の殺菌処理に用いることができる。また、高温湿り空気を用いて、衣類や食器などの乾燥処理ができ、さらに遠赤外線効果により木材を炭化していわゆる炭を作ることができる。
【０００３】
しかしながら、従来このような各種処理を施す過熱蒸気あるいは高温湿り空気の作用効果は知られていたが、実用化レベルでこのような高温湿り空気を効率よく生成する簡易でコストの低い高温湿り空気発生装置は実現されていない。
【０００４】
【特許文献１】米国特許第６４５７４４１号公報
【考案の開示】
【考案が解決しようとする課題】
【０００５】
本考案は、上記従来技術を考慮したものであって、簡易で効率よくしかも低コストで実現できる高温湿り空気発生装置の提供を目的とする。
【課題を解決するための手段】
【０００６】
請求項１の考案は、燃焼ガスを生成する加熱手段と、該加熱手段により加熱され水蒸気を発生する蒸発器とからなり、該水蒸気及び前記燃焼ガスの混合体により各種処理を施す高温湿り空気発生装置において、前記蒸発器は、上部が開口し底部が加熱される水溜り部と該水溜り部の側面を覆う吸水体とからなり、該蒸発器の上部の開口部は、開口面積が徐々に広がる断面形状を有するとともに、開口上端部の外縁から前記吸水体に水を滴下するガイド縁を有することを特徴とする高温湿り空気発生装置を提供する。
【０００７】
請求項２の考案は、請求項１の考案において、前記開口部は、断面形状がラッパ状に湾曲して開口し、その外縁が下方に湾曲して折り返されて前記ガイド縁を構成することを特徴とする。
【０００８】
請求項３の考案は、請求項１又は２の考案において、前記蒸発器は、板金の曲げ加工品からなり、前記開口部が連続したスリット状に開口し、該蒸発器の両端部を止め板で塞いだことを特徴とする。
【考案の効果】
【０００９】
請求項１の考案によれば、徐々に広がる開口部から蒸発器内部の水溜り部の水が無駄なく効率的に蒸発し、円滑に連続的に効率よく水蒸気が得られる。このとき、膨張によりあふれた水が外縁のガイド縁を伝って水溜り部の外側の側面を覆う不織布などからなる吸水体上に滴下して浸透する。これにより、燃焼ガスに近い位置で再び水蒸気が発生して効率よく燃焼ガスと混合するとともに、蒸発器の外面を冷却して蒸発器自体の劣化を抑制する。このように、燃焼エネルギーによる水の膨張を利用して水を蒸発器からあふれ出させ、このあふれ出た水をガイド縁を介して吸水体上に滴下して再び水蒸気を発生させている。これにより、燃焼エネルギーが効率よく水の気化に利用されエネルギーロスの少ない効率的な水蒸気発生装置が得られる。
【００１０】
請求項２の考案によれば、上方に向けて滑らかにラッパ状に湾曲する開口部から水蒸気が円滑に発生するとともに、ラッパ状に折返された外縁部から膨張してあふれ出た水が円滑にガイドされ下方の水溜り部側面の吸水体上に滴下する。これにより、円滑に連続して効率よく高温湿り空気が得られる。
【００１１】
請求項３の考案によれば、１枚の板金を曲げ加工して断面が徳利状の連続した樋状になるように形成し、両端部を止め板で塞ぐことにより、簡単に低コストで蒸発器を製造することができる。
【考案を実施するための最良の形態】
【００１２】
図１は、本考案の実施例の構成図である。
ケーシング１の下部にバーナ２が備わる。燃料管３を通してバーナ２に燃料が供給され火炎４となって燃焼し、燃焼ガスがケーシング１内を上昇する。
【００１３】
バーナ２の上方に蒸発器５が備わる。蒸発器５は、給水管６から水が供給される水溜り部７と、水溜り部７の上部に、後述のようにスリット状に連続して開口するラッパ状の開口部８を有する。水溜り部７の側面は不織布等からなる吸水体９で覆われる。
【００１４】
水溜り部７の底部がバーナ２の火炎４で加熱され、上部のラッパ状の開口部８から水蒸気が発生し、燃焼ガスと混合して高温湿り空気を生成してケーシング１内を上昇する。
【００１５】
ケーシング１内の蒸発器５の上側で高温湿り空気が充満あるいは流通する位置に網１０が設けられる。網１０上に高温湿り空気による処理対象物１１が載せられる。処理対象物１１は例えば、衣類などの洗濯物あるいは洗った食器その他の物品であり、この場合には高温湿り空気発生装置は乾燥装置として用いられる。あるいは、この高温湿り空気発生装置を殺菌装置として用いる場合には、処理対象物１１は、医療用器具や食品あるいはその他の殺菌すべき物品である。
【００１６】
処理対象物１１として、材木片あるいは杉皮等の木材の皮を処理して炭素化して炭を形成することができる。この場合、高温湿り空気の遠赤外線効果により内部まで均一に熱が行き渡って均一に木炭化する。
【００１７】
上記乾燥、殺菌あるいは木炭化処理する場合、上記高温湿り空気を過熱蒸気として用いるとさらに効果的である。過熱蒸気は、大気圧下の飽和蒸気に熱を加えて１００°Ｃ以上とした蒸気である。このような過熱蒸気は、本実施例の場合、蒸発器５で発生した水蒸気を別のバーナ又は電熱ヒータ等の加熱器で再加熱して得られる。この場合、蒸発器５の上方に再加熱器を設けることにより、常圧水蒸気を燃焼ガスと混合した状態で再加熱して過熱蒸気を作ることができる。
【００１８】
図２は、本考案実施例に係る蒸発器の断面図である。
徳利状に膨らんだ水溜り部７の両側面は、不織布等の吸水体９で覆われる。水溜り部７の上部に、ラッパ状に湾曲して開口面積が徐々に広がる開口部８が形成される。開口部８の上縁外側は、湾曲して下方に折り返されてガイド縁１２を形成する。各ガイド縁１２の下縁は、水溜り部７の側面の吸水体９上に位置する。
【００１９】
水溜り部７の底部が加熱されて内部の水（不図示）が蒸発し、上部のラッパ状開口部８から連続して円滑に水蒸気が放出される。蒸発器内の水は、燃料の燃焼エネルギーにより加熱され膨張する。この膨張した水は、上部のラッパ状開口部８からあふれ出る。あふれ出た水は、ラッパ状開口部８の外縁のガイド縁１２を伝って下方の吸水体９上に滴下する。吸水体９に浸透した水は、再びバーナの熱で加熱され再び水蒸気となって燃焼ガスと混合する。これとともに、吸水体９に水が浸透することにより、蒸発器の外面を冷却して蒸発器自体の劣化を抑制する。
【００２０】
図３は、本考案実施例に係る蒸発器の斜視図である。
蒸発器５は、１枚の板金１３を曲げ加工したものであり、断面形状が図２のように徳利状となるように、樋状に曲げ加工してその両端部を止め板１４で塞いだものである。水溜り部７の両側面は吸水体９で覆われる。このような板金の曲げ加工により容易に低コストで蒸発器５を作製できる。
【００２１】
なお、上記実施例では連続樋状の一体型の蒸発器を用いたが、複数の徳利状の個別の容器を並べて蒸発器を構成してもよい。
【産業上の利用可能性】
【００２２】
本考案は、常圧水蒸気を含む高温湿り空気を利用して、衣類や食器等の乾燥、食品その他物品の殺菌あるいは廃材となる材木片や材木の皮の木炭化等の各種処理を施す高温湿り空気による各種処理装置として利用できる。
【図面の簡単な説明】
【００２３】
【図１】本考案実施例の構成図。
【図２】図１の実施例の蒸発器の断面図。
【図３】図１の実施例の蒸発器の斜視図。
【符号の説明】
【００２４】
１：ケーシング、２：バーナ、３：燃料管、４：火炎、５：蒸発器、６：給水管、７：水溜り部、８：開口部、９：吸水体、１０：網、１１：処理対象物、１２：ガイド縁、１３：板金、１４：止め板。
【図１】
0003119089.tif 000003
【図２】
0003119089.tif 000004
【図３】
0003119089.tif 000005